(57)【要約】      （修正有）【課題】電球を３つ以上並べ個別に点灯光量を制御して壁など照射面に水の流れの動きを表現する機器の設置の簡易化。【解決手段】今までの線光源装置を点光源に近い放射型照明装置へと改良し、新たな配線の必要のない全ての部品が一体化された装置とする。外部配線なく本体に設置した白熱電球用口金５を電源入力部として電源安定化部６・動作制御部７・電球保持部８・電球まで一体に取りまとめ、指向性のある各々の電球を意図した異なる角度に向けて放射状に照射されるように設置した。【選択図】図３
2010073673.tif 000002
【特許請求の範囲】
【請求項１】
電球を３つ以上並べ個別に点灯光量を制御することによって水波状に動く光を壁面に照射する照明装置において、指向性のある各々の電球光を放射方向に照射する装置で、電源安定化部・動作制御部・電球保持部・電球まで外部配線なく一体にまとめた白熱電球用口金を電源入力部とする装置。
【請求項２】
請求項１で、電球を線状に配置した装置。
【請求項３】
請求項１で、電球を面状に配置した装置。
【請求項４】
請求項１で、各電球の照射方向を調節できる装置。
【請求項５】
請求項１で、電球前面にレンズを置いて照射方向を制御した装置。
【請求項６】
請求項１で、電源入力部が白熱電球用口金ではなく、任意のサイズの白熱電球用口金を接続できるアタッチメントとした装置。
【請求項７】
請求項１で、電源入力部が白熱電球用口金ではなく、任意の電源端子を接続できるアタッチメントとした装置。
【請求項８】
請求項１で、電源接続部の電球用口金の部分がＥ−５又はＥ−１０又はＥ−１１又はＥ−１２又はＥ−１５又はＥ−１７又はＥ−２５又はＥ−２６又はＥ−３９口金の装置。
【請求項９】
請求項１で、電源接続部の電球用口金が、取替え式の装置。
【請求項１０】
請求項１で、電源接続部の電球用口金が、Ｅ−５口金に取替え式の装置。
【請求項１１】
請求項１で、電源接続部の電球用口金が、Ｅ−５口金の装置。
【請求項１２】
請求項１で、電源接続部の電球用口金が、Ｅ−１０口金に取替え式の装置。
【請求項１３】
請求項１で、電源接続部の電球用口金が、Ｅ−１０口金の装置。
【請求項１４】
請求項１で、電源接続部の電球用口金が、ＥＺ−１０口金に取替え式の装置。
【請求項１５】
請求項１で、電源接続部の電球用口金が、ＥＺ−１０口金の装置。
【請求項１６】
請求項１で、電源接続部の電球用口金が、Ｅ−１１口金に取替え式の装置。
【請求項１７】
請求項１で、電源接続部の電球用口金が、Ｅ−１１口金の装置。
【請求項１８】
請求項１で、電源接続部の電球用口金が、Ｅ−１２口金に取替え式の装置。
【請求項１９】
請求項１で、電源接続部の電球用口金が、Ｅ−１２口金の装置。
【請求項２０】
請求項１で、電源接続部の電球用口金が、Ｅ−１７口金に取替え式の装置。
【請求項２１】
請求項１で、電源接続部の電球用口金が、Ｅ−１７口金の装置。
【請求項２２】
請求項１で、電源接続部の電球用口金が、Ｅ−２５口金に取替え式の装置。
【請求項２３】
請求項１で、電源接続部の電球用口金が、Ｅ−２５口金の装置。
【請求項２４】
請求項１で、電源接続部の電球用口金が、Ｅ−２６口金に取替え式の装置。
【請求項２５】
請求項１で、電源接続部の電球用口金が、Ｅ−２６口金の装置。
【請求項２６】
請求項１で、電源接続部の電球用口金が、Ｅ−３９口金に取替え式の装置。
【請求項２７】
請求項１で、電源接続部の電球用口金が、Ｅ−３９口金の装置。
【請求項２８】
請求項１で、電源接続部の電球用口金が、照明用電源レールへの取り付け装置の装置。
【請求項２９】
請求項１で、電源接続部の電球用口金が、照明用電源レールへの取り付け装置に取替え式の装置。
【請求項３０】
請求項１で、電源接続部の電球用口金が、家庭用１００Ｖコンセントプラグに取替え式の装置。
【請求項３１】
請求項１で、電源接続部の電球用口金が、家庭用１００Ｖコンセントプラグの装置。
【請求項３２】
請求項１で、電源接続部、電源、制御装置、電球保持部分、電球がそれぞれ交換式の装置。
【請求項３３】
請求項１で、投射される水波の速度・幅を選択するスイッチを装備した装置。
【請求項３４】
請求項１で、電球保持部分が交換式の装置。
【請求項３５】
請求項１で、制御装置部が交換式の装置。
【請求項３６】
請求項１で、電源安定化部が交換式の装置。
【請求項３７】
請求項１で、気温を検出することによって発光パターンの変化する装置。
【請求項３８】
請求項１で、周辺音量を検出することによって発光パターンの変化する装置。
【請求項３９】
請求項１で、電球が交換式の装置。
【発明の詳細な説明】
【技術分野】
【０００１】本発明は、発光を制御して壁など照射面に水の流れの動きを表現する機器の設置の簡易化の技術に関する。
【背景技術】
【０００２】線状に連続配置した発光装置を順に緩やかに制御して動く水の波の輝きのようにみせる発光装置の発想は以前からあり、以下のように特許も出願されている。
【特許文献１】［公告番号］特公平７−２０７１１［発明の名称］発光素子駆動装置
【発明の開示】
【発明が解決しようとする課題】
【０００３】線状に連続配置した発光装置を順に緩やかに制御して波の輝きのようにみせる発光装置は多々考えられているが、線状に配置されるがゆえに大きく見て線光源であり、装置が長細く棒状に大きくなることで配置場所が限られる。また、個々の発光装置に由来する配線や、施工に当たって個々の機器特有の知識を求められる為、設置に困難が伴う場合がある。
【課題を解決するための手段】
【０００４】複数の電球に角度を付けて配置・投射することによって発光部分のいくつもの電球を狭い範囲に集約して配置することで装置全体を点光源に近づけて装置の小型化を実現、また家庭用電球のソケットを利用することにより、設置や配線に技術や知識を必要としない構成とする。
【発明の効果】
【０００５】電源供給を従来から使用されている電球ソケットに接続することで新たな配線を不要とし、設置箇所の用意や設置の為の知識を不要とした簡便な使用が可能となる。
【発明を実施するための最良の形態】
【０００６】    電源接続部、電源安定部、動作制御装置、発光器部分を一体に取りまとめた装置で、照射角度の制限された各々の電球を意図した異なる角度に向けて設置し、電源接続部分を一般家庭用電球ソケット等、既存の設備で使用できるように対応させる。
【図面の簡単な説明】
【０００７】
【図１】従来の発光装置案を側面から見た図であって、電球が黒半円、上方へ照射された個々の明るさを円の線で表した模式図である。個々の電球の発光強度を個別に強弱を付けて制御することで、全体の光の形は上の点線の形になり、水波のように矢印の向きへ左右への揺れる動きとして投射されることを表している。装置筐体の幅と投射光の幅が同じであることから、投射される波状の光が装置サイズと等倍であることを示している。また、装置自体が独自の電源入力系統を持っており、図のように配線が必要となることを示している。
【図２】今回の発明の発光部分を側面から見た図であって、黒半円が各々角度を持って設置された電球、長円が各々電球から限定された指向性を持って投射される光の向きと大きさを表し、電球の設置範囲の集約による装置の小型化の実現を表している。長円に表される投射光の範囲は、指向範囲として一定の光量減衰域を示したもので、各々の光は滑らかに重なつ部分を持って投射される。これにより全体としての波の形は一つのものとして表現される。
【図３】左の市販の白熱電球用ソケットに対して、左から電球用ソケットへの接続部、電源安定化部、制御装置部、電球と電球保持部をまとめた発光器が一体として提供されることを示した模式図である。すでに家庭で一般的に流通している白熱電球用照明装置を電源供給部分として利用することによって、新たな配線や特別な設置箇所の用意が必要なく、白熱電球の交換ができる方であれば誰でも使用が可能になり、設置が簡便になることを示している。また、各電球に角度をつけて設置する場合、レンズによる照射方向の角度調整を必要としない場合もある。各部位の接続の順序や取り付け位置は、装置として一体化されて稼動が可能であればこの限りではない。
【符号の説明】
【０００８】１電球
２各電球の照射範囲
３全体として照射される形
４電源入力装置
５電源入力部口金
６電源安定化部
７動作制御部
８電球保持部
９レンズ
１０電球照射方向
１１従来装置の棒状の筐体
１２市販の白熱電球用ソケット
１３揺らぎの進行方向
【図１】
2010073673.tif 000003
【図２】
2010073673.tif 000004
【図３】
2010073673.tif 000005